(57)【要約】【課題】簡便かつ効率的に所望のマッサージ効果を得ることができる美容器を提供する。【解決手段】美容器１は、使用者が把持するためのハンドル部２１を備えた本体２と、本体２に対して相対的に旋回可能に設けられたアーム部と、アーム部に回転可能に保持された２つのローラ３と、旋回移動の範囲内にある基準位置に向かってアーム部を付勢する付勢機構４２とを有している。美容器１は、２つのローラ３を肌に押し当てて往復移動させるという簡便な操作で、往路及び復路のいずれの進行方向においても肌に対するハンドル部２１の姿勢を大きく変更することなく効率的に所望のマッサージ効果を奏することができる。【選択図】図３
2018102903.tif 000002
【特許請求の範囲】
【請求項１】
使用者が把持するためのハンドル部を備えた本体と、
上記本体に対して相対的に旋回可能に設けられたアーム部と、
上記アーム部に回転可能に保持された２つのローラと、
上記旋回移動の範囲内にある基準位置に向かって上記アーム部を付勢する付勢機構とを有している、美容器。
【請求項２】
上記本体と上記アーム部との間に介在し、上記アーム部を上記本体に対して相対的に旋回可能とする旋回機構を更に有している、請求項１に記載の美容器。
【請求項３】
上記美容器は、上記アーム部、上記旋回機構及び上記付勢機構を備えたローラ保持体を有している、請求項２に記載の美容器。
【請求項４】
上記２つのローラの回転軸は、上記本体から離れるほど互いの距離が広がるように配置されている、請求項１〜３のいずれか１項に記載の美容器。
【請求項５】
上記２つのローラの回転軸は共通の平面上に配置されている、請求項１〜４のいずれか１項に記載の美容器。
【発明の詳細な説明】
【技術分野】
【０００１】
本発明は、美容器に関する。
【背景技術】
【０００２】
肌の美容のために、ローラを肌に押し当てつつ回転させて用いる美容器が知られている。この種の美容器として、ハンドルと、ハンドルに回転可能に取り付けられた複数のローラとを有し、隣り合うローラの間に使用者の身体各部を挟みこんで使用する美容器がある。
【０００３】
例えば、特許文献１には、二股に分岐した形状を呈する本体部と、本体部の各先端に取り付けられたローラとを有し、２つのローラの回転軸が、本体部から離れるほど互いの距離が広がる先広がり状に配置された美容器が記載されている。この美容器は、ローラを肌に押し当てた状態で本体部を引き寄せることにより、２つのローラの間の肌を摘み上げるように揉みほぐすことができる。その結果、高いマッサージ効果を奏することができる。
【０００４】
また、特許文献２には、棒状の把持部の上端に、互いに対向する一対の軸受腕部を設けるとともに、２つの球体が軸回転可能に設けられた回動部を一対の軸受腕部の間に上下回転自在に支持したマッサージ器具が開示されている。そして、軸受腕部には回動部を軸受腕部に押し付けて両者を圧接することにより、回動部が上下回動動作しないように固定する回動動作固定部が固定解除自在に設けられている。
【先行技術文献】
【特許文献】
【０００５】
【特許文献１】特開２００７−１３０３２７号公報
【特許文献２】特開２０１３−３４６９４号公報
【発明の概要】
【発明が解決しようとする課題】
【０００６】
この種の美容器の使用態様としては、ローラを肌に押し当てた状態で美容器を往復移動させる態様が最も簡便である。しかし、美容器を往復移動させる場合には、往路におけるローラの回転方向が、復路のローラの回転方向とは逆方向になる。さらに、美容器の移動方向が反転することにより、肌に対するローラの回転軸の角度が変化する。それ故、往路及び復路の両方において所望のマッサージ効果を奏することが難しいという問題がある。
【０００７】
即ち、例えば特許文献１の美容器は、本体部を引き寄せるように移動させることにより、上述したように肌の摘み上げによるマッサージ効果を奏することができる。しかし、本体部を上記の方向とは反対方向に移動させる場合には、一対のローラの間の肌が押し広げられるため、肌の摘み上げによるマッサージ効果を奏することができない。
【０００８】
また、特許文献２のマッサージ器は、回動動作固定部によって回動部の回動動作を固定した状態で使用される。そのため、肌面に対する回転部の角度、すなわち球体の回転軸の角度が往路と復路とで変化することから、往路及び復路の両方において所望のマッサージ効果を奏することは難しい。
【０００９】
このように、従来の美容器においては、肌に対する姿勢を一定にして往復移動させても、所望のマッサージ効果を奏することができるのは、実質的には、往路または復路のいずれかに限られている。また、往路及び復路の両方において所望のマッサージ効果を得ようとすると、往路と復路とで肌に対する美容器の姿勢を大きく変更したり、美容器を持ち替えたりする必要があった。
【００１０】
本発明は、かかる背景に鑑みてなされたものであり、簡便かつ効率的に所望のマッサージ効果を得ることができる美容器を提供しようとするものである。
【課題を解決するための手段】
【００１１】
本発明の一態様は、使用者が把持するためのハンドル部を備えた本体と、
上記本体に対して相対的に旋回可能に設けられたアーム部と、
上記アーム部に回転可能に保持された２つのローラと、
上記旋回移動の範囲内にある基準位置に向かって上記アーム部を付勢する付勢機構とを有している、美容器にある。
【発明の効果】
【００１２】
上記美容器は、本体に対して旋回可能に設けられたアーム部と、アーム部に回転可能に保持された２つのローラとを有している。また、アーム部は、付勢機構により、旋回移動の範囲内にある基準位置に向かって付勢されている。
【００１３】
上記美容器は、上記の構成を有していることにより、アーム部及びこのアーム部に保持された２つのローラを本体に対して相対的に旋回させることができる。また、上記旋回によって基準位置から移動したアーム部及び２つのローラを基準位置に向かって付勢することができる。これにより、上記美容器は、２つのローラを肌に押し当てて往復移動させるという簡便な操作で、往路及び復路のいずれの進行方向においても肌に対するハンドル部の姿勢を大きく変更することなく効率的に所望のマッサージ効果を奏することができる。
【００１４】
即ち、往路において上記美容器を前進させると、アーム部及び２つのローラが付勢機構の付勢力に抗して基準位置よりも後方に旋回する。これにより、各ローラの回転軸を、上記基準位置における回転軸よりも相対的に後方に傾斜させることができる。この状態から更に上記美容器を前進させることにより、２つのローラを回転させ、２つのローラの間の肌を摘み上げるようにして揉みほぐすマッサージ効果等の所望のマッサージ効果を奏することができる。
【００１５】
また、２つのローラを付勢機構の付勢力に抗して基準位置から離れる方向に旋回させた場合、２つのローラは、付勢機構の付勢力によって基準位置に復帰しようとする。そのため、２つのローラは、往路での移動が完了して復路に折り返す際に美容器を後進させることにより、付勢力によって自然に基準位置に復帰する。この状態から更に美容器を後進させることにより、２つのローラを往路における旋回方向とは逆方向に旋回させることができる。
【００１６】
復路においては、上述したローラの旋回により、各ローラの回転軸が上記基準位置における回転軸よりも相対的に前方に傾斜している。この状態で上記美容器を後進させると、２つのローラを往路とは逆回転させることができる。このように、復路において、ローラの回転軸を往路とは逆方向に傾斜させ、さらに２つのローラを往路とは逆回転させることにより、肌に対するハンドル部の姿勢を大きく変更することなく、往路と同様のマッサージ効果を奏することができる。
【００１７】
復路から往路に折り返す際には、上述した往路から復路への折り返しと同様に、上記美容器の前進に伴って２つのローラを自然に上記基準位置よりも後方に旋回させ、各ローラの回転軸を上記基準位置における回転軸に対して後方に傾斜させることができる。
【００１８】
従って、上記美容器は、肌に対するハンドル部の姿勢をほぼ一定にした状態で往復移動するという最も簡便な使用態様で使用した際に、往路及び復路のいずれにおいても、ローラよりも進行方向前方の肌に対して上記回転軸が同じ方向に傾斜した状態を容易に実現することができる。その結果、往路及び復路のいずれにおいても所望のマッサージ効果を奏することができる。
【００１９】
また、上記美容器は、上述した往復移動中に上記美容器と肌との距離や上記回転軸と肌とのなす角度等の位置関係が変動した場合に、その変動を付勢機構により緩衝することができる。これにより、上記の位置関係が変動した場合においても、２つのローラから肌へ付与される力を適度な大きさに調整することができる。その結果、上記美容器の使い心地をより上質なものへと向上させることができる。
【００２０】
以上のように、上記美容器によれば、簡便かつ効率的に所望のマッサージ効果を奏することができる。
【図面の簡単な説明】
【００２１】
【図１】実施例１における、美容器の斜視図である。
【図２】実施例１における、美容器の上面図である。
【図３】実施例１における、美容器の側面図である。
【図４】実施例１における、美容器の下面図である。
【図５】実施例１における、美容器の正面図である。
【図６】実施例１における、美容器の（ａ）前進時の側面図、（ｂ）後進時の側面図である。
【図７】実施例１における、ローラ保持体の斜視図である。
【図８】実施例１における、ローラ保持体の要部の下面図である。
【図９】実施例１における、ローラ保持体の要部の側面図である。
【図１０】図９における、旋回シャフト近傍の拡大図である。
【図１１】実施例１における、ローラ保持体の要部の正面図である。
【図１２】実施例２における、ローラ保持体の要部の斜視図である。
【図１３】実施例３における、ローラ保持体の要部の下面図である。
【図１４】実施例４における、美容器の上面図である。
【図１５】実施例４における、美容器の側面図である。
【図１６】実施例４における、美容器の分解斜視図である。
【図１７】図１５における、XVII-XVII線位置での断面図である。
【図１８】実施例４における、アーム部の（ａ）基準状態での断面図、（ｂ）後進時の断面図、（ｃ）前進時の断面図である。
【図１９】実施例４における、組付工程を説明する概念図である。
【図２０】確認試験１の試験結果を示す図である。
【図２１】確認試験２の試験結果を示す図である。
【図２２】実施例５における、美容器の上面図である。
【図２３】実施例５における、美容器の側面図である。
【図２４】実施例５における、ローラの側面図である。
【図２５】実施例５における、ローラの上面図である。
【図２６】実施例５における、ローラの軌跡を示す図である。
【図２７】図２４における、XXVII-XXVII線位置での断面図である。
【図２８】図２２における、XXVIII-XXVIII線位置での断面図である。
【図２９】実施例５における、美容器の分解斜視図である。
【図３０】図３０（ａ）は変形例１、図３０（ｂ）は変形例２、図３０（ｃ）は変形例３におけるローラの軌跡を示す図である。
【図３１】図３１（ａ）は比較例１における美容器の上面図、図３１（ｂ）は比較例１におけるローラの軌跡を示す図である。
【図３２】確認試験３の結果を示す図である。
【図３３】確認試験４の結果を示す図である。
【発明を実施するための形態】
【００２２】
上記美容器において、２つのローラの回転軸は、本体から離れるほど互いの距離が広がるように配置されていてもよい。即ち、２つのローラの回転軸は、先広がり状に配置されていてもよい。この場合には、美容器を往復移動させることにより、往路及び復路のいずれにおいても、２つのローラにより肌を摘み上げるように揉みほぐし、肌の摘み上げによるマッサージ効果を奏することができる。
【００２３】
また、２つのローラの回転軸を、本体から離れるほど互いの距離が狭まるように配置することもできる。この場合には、美容器を往復移動させることにより、往路及び復路のいずれにおいても、２つのローラにより肌を押し広げるように揉みほぐすことができる。
【００２４】
２つのローラの回転軸は共通の平面上に配置されていてもよい。この場合には、美容器を往復移動させた際に、アーム部をより容易に旋回させることができる。それ故、美容器の使い勝手をより向上させることができる。
【００２５】
また、上記の場合には、さらに、ハンドル部が当該平面に対して傾いていることが好ましい。この場合には、ハンドル部が肌に沿うようにして美容器を往復移動させるという自然な動作により、所望のマッサージ効果をより容易に奏することができる。それ故、美容器の使い勝手をより向上させることができる。
【００２６】
２つのローラは、アーム部に回転可能に保持されている。そして、２つのローラは、上述したように、アーム部の旋回に伴って本体に対して相対的に旋回する。アーム部は、２つのローラの旋回が連動するように構成されていてもよく、各ローラが独立して旋回するように構成されていてもよい。具体的には、前者の構成としては、２つのローラがアーム部を介して接続されている構成等がある。後者の構成としては、一方のローラを保持するアーム部と、他方のローラを保持するアーム部とが分離されている構成等がある。
【００２７】
アーム部と本体との間には、アーム部を本体に対して相対的に旋回可能とする旋回機構が介在していてもよい。この場合、アーム部は、本体上、または、本体とアーム部との間に位置する旋回軸を中心として、本体に対して相対的に旋回することができる。それ故、美容器の往復移動において、２つのローラをより容易に旋回させることができる。その結果、美容器の使い勝手をより向上させることができる。
【００２８】
アーム部の旋回軸は、２つのローラの重心を結んでなる仮想直線に対して平行であることが好ましい。この場合には、美容器の往復移動において、２つのローラをより容易に旋回させることができる。その結果、美容器の使い勝手をより向上させることができる。
【００２９】
上記美容器は、アーム部、旋回機構及び付勢機構を備えたローラ保持体を有していてもよい。この場合には、美容器の組み立て作業において、先にローラ保持体を組み立て、このローラ保持体を本体内に収容することにより、美容器の組み立て作業の作業性をより向上させることができる。
【００３０】
上記旋回機構は、ハンドル部の外部に露出し、上記旋回が可能なオフ状態と、上記旋回が不可能なオン状態とを切り替えるロックスイッチと、上記ロックスイッチの操作に連動する係止部と、上記２つのローラに連結される被係止部とを有しており、上記オン状態において上記係止部と上記被係止部とが係合されるように構成されていてもよい。ロックスイッチがオフ状態の場合には、上述したように、美容器の使用時にアーム部及びこれに保持された２つのローラを旋回させることができる。これにより、２つのローラから肌へ付与される力を適度な大きさに調整し、美容器の使い心地をより向上させることができる。
【００３１】
一方、ロックスイッチをオン状態とした場合には、上記係止部と上記被係止部とが係合するため、アーム部の旋回を規制することができる。そして、アーム部の旋回を規制することにより、２つのローラをより大きな力で肌に押し当て、ひいては肌をより大きな力で揉みほぐすことができる。その結果、ローラによるマッサージ効果をより高めることができる。
【００３２】
このように、ロックスイッチを操作してアーム部の旋回の可否を切り替えることにより、美容器の使い心地を重視したモードと、マッサージ効果を高めるモードとの２種のモードを使い分けることができる。それ故、上記美容器の使い勝手をより向上させることができる。
【００３３】
なお、特許文献２に開示の従来の構成では、回動動作固定部は回動部を軸受腕部に押し付けることによって回動部の回動動作を固定するため、使用中に肌面に球体が押し当てられるのに伴って回動部の回動動作の固定位置がずれやすい。そのため、回転部を所望の位置に固定したままとすることが難しく、所望のマッサージ効果が得られにくい。一方、上記ロックスイッチ、上記係止部及び被係止部を有する構成の場合には、係止部と被係止部とが互いに係合してアーム部の旋回が規制されるため、ローラを肌面に押し当てても規制位置がずれるおそれがない。よって、アーム部の旋回を規制した状態においても所望のマッサージ効果を得ることができる。
【００３４】
上記係止部は、アーム部が上記基準位置に配置されている状態において上記被係止部に係合可能に構成されていてもよい。この場合には、ロックスイッチのオン状態とオフ状態との切り替えをより容易に行うことができる。それ故、上記美容器の使い勝手をより向上させることができる。
【００３５】
上記係止部は、テーパ面を備え、上記被係止部に差し込まれる差込片を有していることが好ましい。この場合には、差込片を被係止部に差し込んだ際にテーパ面を被係止部に当接させることにより、上記オン状態における係止部と被係止部とのがたつきを低減することができる。その結果、上記オン状態における２つのローラのがたつきを低減し、上記美容器の使い心地をより向上させることができる。
【００３６】
本発明の他の態様では、使用者が把持可能な本体と、
上記本体に回転軸を中心に回転可能に設けられたローラとを有しており、
上記ローラが上記回転軸を中心に回転して描く軌跡は、回転軸方向において両端側から内側に向かうにつれて縮径してなる縮径部を有している、美容器とすることができる。
【００３７】
本発明の他の態様の美容器では、上記ローラが上記回転軸を中心に回転して描く軌跡は、回転軸方向において両端側から内側に向かうにつれて縮径した縮径部を有しているため、当該縮径部を顔などの緩やかに膨らむように湾曲した肌面に沿わせやすくなる。その結果、ローラが肌面にフィットしやすくなるため、マッサージ効果が向上するとともに使用感が向上する。
【００３８】
以上のように、上記他の態様の美容器によれば、マッサージ効果や使用感の向上が図られる。
【００３９】
上記縮径部の周面は、上記回転軸に直交する方向からみて円弧状をなしていることが好ましい。この場合には、縮径部を顔などの緩やかに膨らむように湾曲した肌面に一層沿わせやすくなる。そのため、ローラが肌面に一層フィットしやすくなって、マッサージ効果及び使用感が一層向上する。
【００４０】
上記縮径部は、上記回転軸に直交する方向からみて回転軸方向の中央位置の径が最も小さいことが好ましい。この場合には、縮径部を顔などの緩やかに膨らむように湾曲した肌面に一層沿わせやすくなる。そのため、ローラが肌面に一層フィットしやすくなって、マッサージ効果及び使用感が一層向上する。
【００４１】
上記ローラの外周面には、回転軸方向に沿うとともに径方向外方に突出する複数の凸部が周方向に並んで設けられており、該複数の凸部の頂部の少なくとも一部が上記軌跡の上記縮径部を描くことが好ましい。この場合は、ローラを肌面に沿わせた状態で移動させて回転させることにより、ローラが肌面にフィットした状態で複数の凸部が肌面を繰り返し押圧したり若しくは叩くことができる。これにより、マッサージ効果が一層向上する。
【００４２】
上記複数の凸部は、回転軸方向における第１端部から該第１端部と反対側の第２端部に向かうにつれて頂部が上記回転軸に近づく第１凸部と、上記第２端部から上記第１端部に向かうにつれて頂部が上記回転軸に近づく第２凸部と、を含むことが好ましい。これにより、ローラが肌面にフィットした状態を維持しつつ、回転軸方向の両側から内方に向けて肌面を押圧若しくは叩くことができ、マッサージ効果が一層向する。
【００４３】
上記第１凸部と上記第２凸部とが周方向に交互に配列していることが好ましい。この場合には第１凸部による押圧若しくは叩く作用と、第２凸部による押圧若しくは叩く作用とが交互に奏されるため、マッサージ効果が一層向する。
【実施例】
【００４４】
（実施例１）
上記美容器の実施例について、図を用いて説明する。図１〜図１１に示すように、本例の美容器１は、使用者が把持するためのハンドル部２１を備えた本体２と、本体２に対して相対的に旋回可能に設けられたアーム部６（図７参照）と、アーム部６に回転可能に保持された２つのローラ３と、旋回移動の範囲内にある基準位置に向かってアーム部６を付勢する付勢機構４２（図７参照）とを有している。
【００４５】
本例の美容器１は、図６（ａ）、図６（ｂ）、図７に示すように、本体２とアーム部６との間に介在し、アーム部６を本体２に対して相対的に旋回可能とする旋回機構４１を更に有している。美容器１は、旋回機構４１により、本体２上に位置する旋回軸Ｓを中心に、アーム部６及びアーム部６に保持された２つのローラ３を本体２に対して相対的に旋回させることができる。また、美容器１は、付勢機構４２により、この旋回によって基準位置から移動したアーム部６及び２つのローラ３を基準位置に向かって付勢することができる。
【００４６】
図１に示すように、美容器１の本体２は、略棒状を呈するハンドル部２１と、その長手方向の一端に設けられた分枝部２２とを有している。分枝部２２は先広がり状に二又に分岐しており、分枝部２２の先端にローラ３が配置されている。図６（ａ）、図６（ｂ）に示すように、分枝部２２は、アーム部６及びローラ３の旋回に連動して、旋回軸Ｓを中心に本体２に対して相対的に旋回することができる。
【００４７】
図２及び図５に示すように、２つのローラ３は、本体２の長手方向と直交する方向に間隔を空けて並んでいる。２つのローラ３の回転軸Ｒは、本体２から離れるほど互いの距離が広がるように、先広がり状に配置されている。また、図３に示すように、２つのローラ３の回転軸Ｒは共通の平面Ｐ上に配置されており、本体２は平面Ｐに対して傾いている。
【００４８】
以下において、本体２の長手方向に平行な方向を「前後方向Ｘ」といい、前後方向Ｘにおけるローラ３が配置されている側を「前方Ｘ１」、その反対側を「後方Ｘ２」ということがある。また、２つのローラ３の並び方向を「幅方向Ｙ」ということがある。更に、前後方向Ｘ及び幅方向Ｙの両方に直交する方向を「上下方向Ｚ」ということがあり、上下方向Ｚにおける、本体２が配置されている側を「上方Ｚ１」、ローラ３が配置されている側を「下方Ｚ２」ということがある。これらの方向に関する表示は便宜上のものであり、美容器１を実際に使用する際の向きとは何ら関係がない。
【００４９】
図３に示すように、アーム部６の旋回軸Ｓは、本体２の前方Ｘ１の端部上に配置されており、幅方向Ｙに延びている。旋回軸Ｓは、２つのローラ３の重心を結んでなる仮想直線Ｌと平行な方向に延びている。
【００５０】
本例におけるアーム部６の基準位置は、旋回の全範囲における中央である。また、アーム部６は、基準位置から前方Ｘ１または後方Ｘ２に最大で３０°旋回することができる。これにより、２つのローラ３は、図３及び図６に示すように、基準位置３０、即ちアーム部６が基準位置にあるときの位置から、前方Ｘ１または後方Ｘ２に最大で３０°旋回することができる（図３、記号θ参照）。なお、アーム部６の最大旋回角度θは、基準位置を０°としたときに２０〜４５°の範囲内から適宜設定することができる。美容器１の使い心地の観点からは、最大旋回角度θを２５〜３５°の範囲内から設定することが好ましい。
【００５１】
次に、美容器１の各部をより詳細に説明する。
【００５２】
図１に示すように、本体２は、ハンドル部２１の上半分を構成するハンドル上部２１１と、ハンドル部２１の下半分を構成するハンドル下部２１２とを有している。ハンドル上部２１１における前後方向Ｘの中央部には、太陽電池ユニット１１（後述）が設けられている。また、図４に示すように、ハンドル下部２１２には、ロックスイッチ７１（後述）が設けられている。
【００５３】
本体２の内部には、図７に示すローラ保持体４が収容されている。ローラ保持体４は、アーム部６、旋回機構４１及び付勢機構４２を備えており、２つのローラ３を回転可能に保持している。旋回機構４１は、本体２に固定されたベース部５と、ベース部５とアーム部６とを旋回可能に連結する旋回シャフト４３（図９、図１０参照）とを有している。
【００５４】
ベース部５は、図７に示すように、金属板から構成され、前後方向Ｘに伸びた平板状のベース板５１と、樹脂からなり、ベース板５１の上面及び側面を覆うカバー５２と、ベース板５１の下面を覆う抑え板５３とを有している。図９〜図１１に示すように、ベース板５１における前方Ｘ１の端部には、一対のシャフト受け部５１１が立設されている。図１０に示すように、シャフト受け部５１１の輪郭は、幅方向Ｙから見て略Ｕ字状を呈している。また、シャフト受け部５１１の中央には、旋回シャフト４３が挿入されている。
【００５５】
アーム部６は、金属板から構成されており、各ローラ３を回転可能に保持するアーム板６１（図１１参照）を有している。アーム板６１における後方Ｘ２の端部には、一対のタブ部６１１が立設されている。図１１に示すように、一対のタブ部６１１は、ベース部５における一対のシャフト受け部５１１の内側に配置され、ブッシング６１２を介してシャフト受け部５１１に摺接している。
【００５６】
図９及び図１０に示すように、タブ部６１１は、幅方向Ｙから見て略円状を呈している。図１０に示すように、タブ部６１１の外周端縁には、ねじりばね４２１の端部４２４（後述）を固定するばね固定溝６１３と、平坦面６１４とが設けられている。平坦面６１４は、アーム部６が基準位置にある状態においてベース板５１の表面５１２と平行になるように配置されている。この平坦面６１４とベース板５１との間には、係止部７２の差込片７４（後述）が挿入される。また、タブ部６１１の中央には、旋回シャフト４３が挿入されている。
【００５７】
図９に示すように、旋回シャフト４３は、アーム部６の旋回軸Ｓ上に配置されている。旋回シャフト４３の両端は、ベース部５のカバー５２に回転可能に保持されている（図示略）。また、旋回シャフト４３は、シャフト受け部５１１と、タブ部６１１との両方に挿入されている。これにより、ベース部５とアーム部６とが旋回シャフト４３を介して旋回可能に連結されている。
【００５８】
図１１に示すように、本例の４２は、２つのねじりばね４２１（４２１ａ、４２１ｂ）を有している。２つのねじりばね４２１は、一対のタブ部６１１の間に幅方向Ｙに並んで配置されている。各ねじりばね４２１は、幅方向Ｙの中央部において上方Ｚ１に突出した一方の端部４２２（４２２ａ、４２２ｂ）と、この端部４２２を起点として時計回りに巻回されたコイル部４２３（４２３ａ、４２３ｂ）と、コイル部４２３の末端から幅方向Ｙにおける外方に延びる他方の端部４２４（４２４ａ、４２４ｂ）とを有している。
【００５９】
各ねじりばね４２１における一方の端部４２２は、ベース板５１のばね固定穴（図示略）に挿入されている。他方の端部４２４は、図１０に示すように、各ねじりばね４２１と対面するタブ部６１１のばね固定溝６１３に挿入されている。また、各ねじりばね４２１におけるコイル部４２３の内側には、図１０に示す旋回シャフト４３及び図１１に示すブッシング６１２が配置されている。
【００６０】
アーム部６が基準位置にあるときには、２つのねじりばね４２１は、自然状態となっている。なお、アーム部６が基準位置にあるときに、第１のねじりばね４２１ａによる付勢力と第２のねじりばね４２１ｂによる付勢力とが釣り合った状態とすることも可能である。アーム部６を基準位置から離れる方向に旋回させた場合、各ねじりばね４２１における、ばね固定溝６１３に挿入された端部４２４の位置が、ベース板５１に挿入された端部４２２に対して、旋回軸Ｓを中心として相対的に旋回する。
【００６１】
即ち、アーム部６を前方Ｘ１に旋回させた場合には、第１のねじりばね４２１ａのコイル部４２３ａが巻き戻され、第２のねじりばね４２１ｂのコイル部４２３ｂが巻き込まれるように、ばね固定溝６１３に挿入された端部４２４の位置が旋回する。また、アーム部６を後方Ｘ２に旋回させた場合には、第１のねじりばね４２１ａのコイル部４２３ａが巻き込まれ、第２のねじりばね４２１ｂのコイル部４２３ｂが巻き戻されるように、ばね固定溝６１３に挿入された端部４２４の位置が旋回する。
【００６２】
そして、アーム部６が前方Ｘ１または後方Ｘ２のいずれの方向に旋回した場合にも、上述のように巻き込まれ、または巻き戻されたコイル部４２３により、旋回方向とは反対方向への付勢力が生じる。その結果、アーム部６に基準位置に復帰しようとする方向への付勢力を付与することができる。
【００６３】
また、ばね固定溝６１３に挿入された端部４２４は、アーム部６が基準位置から最も離れた状態において、シャフト受け部５１１に当接するように配置されている。即ち、アーム部６が基準位置から前方Ｘ１に３０°旋回した状態においては、２つのねじりばね４２１のうち一方のねじりばね４２１ａの端部４２４ａとシャフト受け部５１１とが当接する（図１０、符号４２４ａ’参照）。また、図には示さないが、アーム部６が基準位置から後方Ｘ２に３０°旋回した状態においては、他方のねじりばね４２１ｂの端部４２４ｂとシャフト受け部５１１とが当接する。これにより、アーム部６の旋回範囲が、基準位置から前方Ｘ１及び後方Ｘ２のいずれの方向にも３０°を超えないように規制されている。
【００６４】
本例の旋回機構４１は、更に、本体２の外部に露出し、アーム部６の旋回が可能なオフ状態と、旋回が不可能なオン状態とを切り替えるロックスイッチ７１（図３〜図４及び図８〜図９参照）と、ロックスイッチ７１の操作に連動する係止部７２（図８〜図９参照）と、２つのローラ３に連結される被係止部７３（図９〜図１０参照）とを有している。図７に示すように、係止部７２と被係止部７３とは、オン状態において係合されるように構成されている。
【００６５】
図８〜図９に示すように、ロックスイッチ７１はホイール状を呈している。ロックスイッチ７１は、幅方向Ｙに延びる回転軸Ｑを中心として回転することができるように、ベース部５に保持されている（図７参照）。図８に示すように、ロックスイッチ７１の側面からは、一対のピン７１１が突出している。これらのピン７１１は、係止部７２に設けられたピン収容溝７２１（後述）内に収容されている。
【００６６】
図８及び図９に示すように、係止部７２は、前後方向Ｘに延びる略棒状を呈しており、ベース板５１とロックスイッチ７１の回転軸Ｑとの間に配置されている。係止部７２の前方Ｘ１の端部には、テーパ面７４１を備え、被係止部７３に差し込まれる差込片７４が設けられている。図８に示すように、差込片７４は略平板状を呈しており、その幅方向Ｙにおける両端にテーパ面７４１を有している。また、差込片７４よりも後方Ｘ２には、ロックスイッチ７１のピン７１１を収容するピン収容溝７２１が設けられている。
【００６７】
本例の美容器１は、以下のようにしてオン状態とオフ状態との切り替えを行うことができる。ロックスイッチ７１をオフ状態からオン状態に切り替える場合には、ロックスイッチ７１を後方Ｘ２に回転させる（図９、矢印７０１）。この回転により一対のピン７１１が前方Ｘ１に移動し、ピン７１１の移動に連動して係止部７２が前方Ｘ１にスライドする。なお、ロックスイッチ７１をオン状態からオフ状態に切り替える場合には、ロックスイッチ７１を前方Ｘ１に回転させればよい。
【００６８】
アーム部６が基準位置にあるときには、ベース板５１の表面５１２とタブ部６１１の平坦面６１４との間に隙間が形成されている（図１０参照）。ロックスイッチ７１の回転に伴って前方Ｘ１にスライドした差込片７４は、この隙間に差し込まれる。そして、テーパ面７４１とタブ部６１１の平坦面６１４とが当接することにより、アーム部６及びローラ３の旋回が規制される。このように、本例においては、ベース板５１と、ローラ保持体４における一対のタブ部６１１とが、被係止部７３としても機能するように構成されている。
【００６９】
また、図には示さないが、本例の美容器１においては、アーム部６が基準位置から外れた位置にあるときには、ベース板５１の表面５１２とタブ部６１１との隙間がテーパ面７４１の厚みよりも狭くなっている。そのため、アーム部６が基準位置から外れた位置にあるときには、差込片７４を被係止部７３に差し込むことができず、オフ状態からオン状態に切り替えることができないように構成されている。
【００７０】
次に、本例の美容器１の作用効果について説明する。本例の美容器１は、本体２上に位置する旋回軸Ｓを中心として、アーム部６及びこれに保持された２つのローラ３を本体２に対して相対的に旋回させることができる。また、この旋回によって基準位置から移動したアーム部６及び２つのローラ３を基準位置に向かって付勢することができる。これにより、美容器１は、２つのローラ３を肌に押し当てて往復移動させるという簡便な操作で、往路及び復路のいずれの進行方向においても肌に対するハンドル部２１の姿勢を大きく変更することなく効率的に所望のマッサージ効果を奏することができる。
【００７１】
即ち、図６（ａ）に示すように往路において美容器１を前進させると（矢印１２１）、アーム部６及び２つのローラ３が付勢機構４２の付勢力に抗して基準位置３０よりも後方Ｘ２に旋回する（矢印１３１）。これにより、各ローラ３の回転軸Ｒを、基準位置３０における回転軸Ｒ’よりも相対的に後方Ｘ２に傾斜させることができる。
【００７２】
２つのローラ３は、往路での移動が完了して復路に折り返す際に美容器を後進させることにより、付勢機構４２の付勢力によって自然に基準位置３０に復帰する。図６（ｂ）に示すように、この状態から更に美容器を後進させることにより（矢印１２２）、２つのローラ３を基準位置３０よりも前方Ｘ１に旋回させることができるとともに（矢印１３２）、回転軸Ｒを基準位置３０における回転軸Ｒ’よりも相対的に前方Ｘ１に傾斜させることができる。
【００７３】
復路から往路に折り返す際には、往路から復路への折り返しと同様に、美容器１の前進に伴って２つのローラ３を自然に基準位置３０よりも後方Ｘ２に旋回させ、回転軸Ｒを基準位置３０における回転軸Ｒ’よりも相対的に後方Ｘ２に傾斜させることができる。
【００７４】
このように、美容器１は、肌８に対するハンドル部２１の姿勢をほぼ一定にした状態で往復移動するという最も簡便な使用態様で使用した際に、往路及び復路のいずれにおいても、ローラ３よりも進行方向前方の肌８０に対して回転軸Ｒが同じ方向に傾斜した状態を容易に実現することができる。その結果、往路及び復路のいずれにおいても簡便かつ効率的に所望のマッサージ効果を奏することができる。
【００７５】
図２及び図５に示すように、２つのローラ３は回転軸Ｒは、本体２から離れるほど互いの距離が広がるように配置されている。それ故、美容器１を往復移動させることにより、往路及び復路のいずれにおいても、図６に示すように２つのローラ３により肌８を摘み上げるように揉みほぐし、肌８の摘み上げによるマッサージ効果を奏することができる。
【００７６】
図３に示すように、２つのローラ３の回転軸Ｒは共通の平面Ｐ上に配置されており、本体２は当該平面Ｐに対して傾いている。それ故、本体２が肌８に沿うようにして美容器１を往復移動させるという自然な動作により、所望のマッサージ効果をより容易に奏することができ、美容器１の使い勝手をより向上させることができる。
【００７７】
図３に示すように、アーム部６の旋回軸Ｓは、２つのローラ３の重心を結んでなる仮想直線Ｌに対して平行である。それ故、美容器１の往復移動において、２つのローラ３をより容易に旋回させることができる。その結果、美容器１の使い勝手をより向上させることができる。
【００７８】
図７に示すように、美容器１は、アーム部６、旋回機構４１及び付勢機構４２を備えたローラ保持体４を有している。それ故、美容器１の組み立て作業において、先にローラ保持体４を組み立て、このローラ保持体４を本体２内に収容することにより、美容器１の組み立て作業の作業性をより向上させることができる。
【００７９】
図９に示すように、旋回機構４１は、ハンドル部２１の外部に露出し、ローラ３の旋回が可能なオフ状態と、旋回が不可能なオン状態とを切り替えるロックスイッチ７１と、ロックスイッチ７１の操作に連動する係止部７２と、アーム部６に連結される被係止部７３とを有している。そして、係止部７２と被係止部７３とがオン状態において係合されるように構成されている。それ故、ロックスイッチ７１により２つのローラ３の旋回の可否を切り替え、美容器１の使い心地を重視したモードと、マッサージ効果を高めるモードとの２種のモードを使い分けることができる。それ故、美容器１の使い勝手をより向上させることができる。
【００８０】
被係止部７３は、２つのローラ３が基準位置に配置されている状態において係止部７２に係合可能に構成されている。そのため、ロックスイッチ７１のオン状態とオフ状態との切り替えをより容易に行うことができ、美容器１の使い勝手をより向上させることができる。
【００８１】
係止部７２は、テーパ面７４１を備え、被係止部７３に差し込まれる差込片７４を有している。そのため、差込片７４を被係止部７３に差し込んだ際にテーパ面７４１を被係止部７３に当接させることにより、オン状態における係止部７２と被係止部７３とのがたつきを低減することができる。その結果、オン状態における２つのローラ３のがたつきを低減し、美容器１の使い心地をより向上させることができる。
【００８２】
また、本例の美容器１は、図１及び図３に示すように、ハンドル上部２１１に露出した太陽電池ユニット１１と、本体２の表面に設けられたハンドル電極２１３と、ローラ３の表面に設けられたローラ電極３１と、肌８とを含む電流経路に微弱電流を流すことができるように構成されている。
【００８３】
具体的には、本例のハンドル電極２１３は、ハンドル上部２１１の外表面に設けられている。ハンドル電極２１３は、図示しない電線により、本体２の内部において太陽電池ユニット１１の正極と電気的に接続されている。なお、本例のハンドル電極２１３は、導電性を有するクロムめっき膜である。
【００８４】
ローラ電極３１は、ローラ３内部の導電体（図示略）、ローラ保持体４におけるアーム部６、ねじりばね４２１、ベース部５及び図示しない電線をこの順に経由して太陽電池ユニット１１の負極と電気的に接続されている。アーム部６とねじりばね４２１とは、タブ部６１１とばね固定溝６１３に挿入された端部４２４との当接部において電気的に接続されている。また、ねじりばね４２１とベース部５とは、ベース部５に挿入された端部４２２とベース部５のばね固定穴との当接部において電気的に接続されている。なお、本例のローラ電極３１は、導電性を有するクロムめっき膜である。
【００８５】
本例の美容器１は、肌８に微弱電流を流すことにより、血流の促進、新陳代謝の活性化等の美容効果を奏することができる。そして、これらの効果とローラ３によるマッサージ効果とが相乗的に作用することにより、より高い美容効果を奏することができる。
【００８６】
（実施例２）
本例は、係止部７２及び被係止部７３の他の態様の例である。なお、本実施例以降において用いる符号のうち、既出の実施例において用いた符号と同一のものは、特に説明のない限り、既出の実施例における構成要素等と同様の構成要素等を表す。
【００８７】
図１２に示すように、本例のローラ保持体４０２は、前後方向Ｘにスライドするロックスイッチ７１を有している。ロックスイッチ７１には、前後方向Ｘに延びる棒状の係止部７２が取り付けられている。
【００８８】
被係止部７３は、アーム板６１における、一対のタブ部６１１を接続する接続部６１５に設けられている。接続部６１５は、アーム部６が基準位置にある状態において、係止部７２に対面するように配置されている。接続部６１５の中央には、係止部７２の先端を挿入する貫通穴６１６が設けられている。
【００８９】
本例の美容器１０２では、アーム部６が基準位置にあるときにロックスイッチ７１を前方Ｘ１にスライドさせることにより、係止部７２の先端を接続部６１５の貫通穴６１６に挿入することができる。これにより、係止部７２と被係止部７３とが係合され、アーム部６及びローラ３の旋回を規制することができる。その他は実施例１と同様である。本例の美容器１０２は、テーパ面７４１による作用効果を除いて、実施例１と同様の作用効果を奏することができる。
【００９０】
（実施例３）
本例は、付勢機構４２の他の態様の例である。図１３に示すように、本例の付勢機構４２は、一対のタブ部６１１（６１１ａ、６１１ｂ）のうち一方のタブ部６１１ａに連動して回転する端面カム６３と、端面カム６３の回転に伴って幅方向Ｙに往復移動する従動部６４と、従動部６４と他方のタブ部６１１ｂとの間に介在するコイルばね６５とを有している。なお、図１３においては、便宜上、アーム部６の記載を省略している。
【００９１】
アーム部６が基準位置にある状態においては、図１３に示すように、端面カム６３の全面が従動部６４に当接している。なお、コイルばね６５は、アーム部６が基準位置にある状態において自然長よりも圧縮されている。そのため、従動部６４は端面カム６３に押し付けられている。
【００９２】
本例の美容器１０３における付勢機構４２の動作は、以下のとおりである。アーム部６が本体２に対して相対的に旋回し、基準位置から離れると、端面カム６３がアーム部６の旋回に連動し、旋回軸Ｓを中心として回転する。従動部６４は、この端面カム６３の回転に伴って幅方向Ｙにおける他方のタブ部６１１ｂ側へ押し出される。
【００９３】
幅方向Ｙにおける他方のタブ部６１１側へ押し出された従動部６４は、コイルばね６５の付勢力により、端面カム６３側へ向けて付勢される。この付勢力が端面カム６３及びアーム板６１を介してアーム部６に伝達される結果、アーム部６及びローラ３に、基準位置に復帰しようとする方向への付勢力を付与することができる。
【００９４】
また、本例の美容器１０３において、オフ状態からオン状態への切り替えを行う場合には、ロックスイッチ７１を前方Ｘ１にスライドさせる。係止部７２は、ロックスイッチ７１に連動して前方Ｘ１にスライドし、その先端が従動部６４の表面に当接する（図示略）。そして、係止部７２と従動部６４との摩擦力によりアーム部６の移動を規制し、ひいてはローラ３の旋回を規制することができる。このように、本例の美容器１０３は、従動部６４が被係止部７３としても機能するように構成されている。その他は実施例２と同様である。本例の美容器１０３は、実施例２と同様の作用効果を奏することができる。
【００９５】
本発明に係る美容器の態様は実施例１〜３に示した態様に限定されるものではなく、その趣旨を損なわない範囲で適宜構成を変更することができる。例えば、実施例１〜３には、２つのローラ３の回転軸Ｒが先広がり状に配置されている例を示したが、２つのローラ３の回転軸Ｒを互いに平行に配置してもよいし、先細り状に配置してもよい。
【００９６】
また、実施例１〜３には、アーム部６により２つのローラの旋回が連動するように構成された美容器１の例を示したが、各ローラ３が独立して旋回するように構成されていてもよい。この場合には、例えば、一方のローラを保持するアーム部と、他方のローラを保持するアーム部とが分離されている構成等を採用することができる。
【００９７】
また、アーム部６としては、実施例１〜３のように金属板から構成された部材以外にも、ユニバーサルジョイント等を採用することも可能である。例えば、ユニバーサルジョイントをアーム部に採用した場合には、ユニバーサルジョイントの一端を本体に保持し、他端にローラを取り付けることにより、ローラを本体に対して相対的に旋回させることができる。
【００９８】
実施例１〜３には球状を呈するローラ３の例を示したが、ローラ３を円筒状とすることもできる。
また、実施例１には、太陽電池ユニット１１により肌８に流す微弱電流を発生させる構成を示したが、太陽電池ユニット１１に替えて、電池等の公知の電源を用いて微弱電流を発生させてもよい。
【００９９】
また、実施例１〜３には２つのローラ３を備えた美容器１、１０２、１０３の例を示したが、ローラ３の数を更に増やしてもよい。例えば、ローラ３の数を４つにする場合には、これらのローラ３を本体２の下方に配置する構成を採用することができる。この場合において、４つのローラ３のうち少なくとも２つのローラ３が上述したように本体２に対して相対的に旋回可能であれば、本発明の美容器による作用効果を奏することができる。残り２つのローラ３は旋回可能としてもよいし、旋回不可能としてもよい。ローラ３の数を更に増やす場合にも同様である。
【０１００】
（実施例４）
本実施例の美容器１０４は、図１４〜図１９に示す構造を有する。なお、実施例１〜３の場合と同等の構成には同一の符号を付してその説明を省略する。本例では、実施例１におけるロックスイッチ７１、差込片７４等のアーム部６を旋回不能な状態にするための機構を有していない。そのため、アーム部６は常時旋回可能な状態となっている。
【０１０１】
また、本例では、図１５に示すように、本体２のハンドル部２１は把持可能に構成されており、ハンドル上部２１１及びハンドル下部２１２を備える。図１４に示すように、ハンドル上部２１１には、上面視で前後方向に延びる複数の溝２１５が形成されている。また、図１６に示すように、ハンドル上部２１１には開口部２１１ａが形成されている。開口部２１１ａには、レンズ１１４がテープ１１５を介して嵌め込まれている。レンズ１１４はねじ１１６によりハンドル上部２１１に固定されている。
【０１０２】
そして、図１６に示すように、ハンドル上部２１１には下面側にねじ２１７によってハンドルベース２１４が取り付けられている。ハンドル上部２１１とハンドルベース２１４との間にはパッキン２１４ａが介在している。また、ハンドルベース２１４には、ねじ２１４ｃにより重り２１４ｂが取り付けられている。そして、ハンドル上部２１１とハンドル下部２１２とが、ねじ２１８とハンドル下部２１２に設けられた係合爪２１９を介して嵌め合わされている。そして、図１７に示すように、ハンドル上部２１１の外縁２１６は、ハンドル下部２１２の外縁及びハンドルベース２１４の外縁を覆っている。
【０１０３】
図１６に示すように、本例では、ベース板５１において、各ねじりばね４２１（４２１ａ、４２１ｂ）における一方の端部４２２（４２２ａ、４２２ｂ）が挿通される一対の固定孔５１３は、前後方向Ｘに長い長穴となっている。なお、各ねじりばね４２１（４２１ａ、４２１ｂ）は、ブッシング６１２を介して旋回シャフト４３に挿通されており、ねじりばね４２１ａとねじりばね４２１ｂとの間にはワッシャー４３１も挿通されている。ワッシャー４３１により、ねじりばね４２１ａとねじりばね４２１ｂとが互いに接しないようにして、アーム部６の旋回時に生じる軋み音の発生を抑制することができる。
【０１０４】
さらに、ベース板５１には、一対の固定孔５１３に重なるように、アジャスター５４が積層されている。アジャスター５４は一対の係合孔５４１と、一対の取付孔５４２とを有する。一対の係合孔５４１はそれぞれ、一対の固定孔５１３と重なる位置に設けられている。一対の係合孔５４１はいずれも、略円形の孔であって、一対の固定孔５１３よりも前後方向Ｘの長さが短くなっている。そして、一対の係合孔５４１には、一対の固定孔５１３に挿通されたねじりばね４２１の端部４２２が嵌入している。
【０１０５】
一方、アジャスター５４における一対の取付孔５４２は、ベース板５１に設けられた一対の固定孔５１３と同様に、前後方向Ｘに長い長穴となっている。アジャスター５４は当該一対の取付孔５４２に挿通されてベース板５１に螺入されたねじ５５によって、ベース板５１に積層された状態で固定される。一対の取付孔５４２は前後方向Ｘに長い長穴となっているため、アジャスター５４の取り付け位置をベース板５１に対して相対的に前後方向Ｘにずらすことができる。
【０１０６】
そして、上述の如く、一対の係合孔５４１に係合されたねじりばね４２１の端部４２２が挿通された一対の固定孔５１３も前後方向Ｘに長い長穴となっているため、アジャスター５４の前後方向Ｘの取り付け位置を変更することによって、ねじりばね４２１の端部４２２の前後方向Ｘの位置を変更して調節することができる。そして、ねじりばね４２１の端部４２２の前後方向Ｘの位置を調節することにより、アーム部６の基準位置を調節することができる。
【０１０７】
アーム部６の基準位置の調整は図１９に示す調整治具５００を用いて、次のように行うことができる。まず、ねじ５５を取り付けていない状態でアーム板６１を設置したベース板５１を用意する。そして、当該ベース板５１を調整治具５００の固定台５０１にセットする。その際、固定台５０１に設けられた固定用突起５０２をベース板５１のねじ穴５１４に挿通させて、ベース板５１を確実に固定する。
【０１０８】
そして、アジャスター５４の前側端面に位置決め部材５０３を当接させる。位置決め部材５０３は、アジャスター５４を後方Ｘ２に押圧してアジャスター５４の位置を変更することができる。本例の調整治具５００では、位置決め部材５０３は一対の支持棒５０４を介して前後方向Ｘに摺動可能に構成されており、一対の支持棒５０４に設けられたリブ付きナット５０５を締めこむことで位置決め部材５０３が後方Ｘ２に摺動するように構成されている。なお、アーム部６の位置（アーム角度）は、基準位置よりも若干後方Ｘ２側、すなわち、アジャスター５４が若干前方側である状態としておく。
【０１０９】
アーム部６の位置（アーム角度）を所定のセンサーを用いて検出しつつ、位置決め部材５０３を後方Ｘ２に摺動させて、アジャスター５４を後方Ｘ２に押圧する。そして、アーム部６の位置（アーム角度）が基準位置に相当する所定の角度になった状態で、ねじ５５を取り付けてアジャスター５４の位置を固定する。その後、リブ付きナット５０５を緩めて、ベース板５１を固定台５０１から取り外して、アーム部６の基準位置の調整を終了する。
【０１１０】
図１６に示すように、ベース板５１におけるアジャスター５４が取り付けられる側と反対側には、クッション５６が設けられている。クッション５６は熱可塑性エラストマー（ＴＰＥ）からなり、シート状を成している。本例では、クッション５６は硬度９０度のＴＰＥからなり、厚さは０．７ｍｍとしている。
【０１１１】
図１６、図１８（ａ）〜（ｃ）に示すように、アーム部６の一対のタブ部６１１の外縁には、前方規制部６１７と後方規制部６１８が設けられている。前方規制部６１７は平坦面を有し、図１８（ｂ）に示すように、アーム部６が前方Ｘ１に最大旋回角度まで旋回したときに、クッション５６を介してベース板５１に当接する。これにより、前方規制部６１７はアーム部６が前方に最大旋回角度以上に前方に旋回することを規制する。また、後方規制部６１８も平坦面を有し、図１８（ｃ）に示すように、アーム部６が後方Ｘ２に最大旋回角度まで旋回したときに、クッション５６を介してベース板５１に当接する。これにより、後方規制部６１８はアーム部６が前方に最大旋回角度以上に後方に旋回することを規制する。このように、前方規制部６１７及び後方規制部６１８によってアーム部６の旋回可能範囲が規定されている。また、前方規制部６１７及び後方規制部６１８がクッション５６を介してベース板５１に当接するため、当接時の衝撃音の発生が抑制され、静音性が向上する。
【０１１２】
図１６に示すように、アーム部６においてアーム板６１の前方端部には、ローラ３の回転軸Ｒ上に一対のシャフト取付部６２が設けられている。一対のシャフト取付部６２には、回転軸Ｒに平行に延びたローラシャフト３２がそれぞれ取り付けられている。そして、アーム板６１には、前側アームカバー２２１と後側アームカバー２２２とが取り付けられている。前側アームカバー２２１、後側アームカバー２２２には、それぞれ半円筒状の半筒部２２１ａ、２２２ａが形成されており、一対のシャフト取付部６２を覆っている。半筒部２２１ａ、２２２ａには、合成樹脂よりなる円筒状のキャップ３３が嵌着されている。キャップ３３より、半筒部２２１ａ、２２２ａがシールされるとともに、前側アームカバー２２１と後側アームカバー２２２とローラ電極３１との間の電気絶縁性が確保されている。
【０１１３】
図１６に示すように、ローラシャフト３２には、ベアリング３４が取り付けられている。ベアリング３４は合成樹脂よりなり、円筒状をなしている。ベアリング３４は、図１７に示すように、その内側にローラシャフト３２が挿通されるとともに、ローラシャフト３２の先端に取り付けられたストップリング３５によりベアリングスペーサ３６を介して抜け止め固定されている。ベアリング３４の表裏両面を含む外側全面には金属メッキが施され、ベアリング３４とローラシャフト３２との間の導電が確保されている。また、金属メッキに代えて、ベアリング３４を導電性樹脂によって構成することにより両者の導電を確保してもよい。なお、本実施例では、ベアリング３４とキャップ３３との間にはリング状のポリスライダー３３１が介在している。
【０１１４】
図１６、図１７に示すように、ベアリング３４の外周面には、係止爪３４１が径方向外方に突出形成されている。係止爪３４１には、図１７に示すように、後述するローラ３の段差部３０５が係合する。また、ベアリング３４の端部には、径方向外方Ｙ１に拡径してなる拡径部３４２が形成されている。そして、係止爪３４１と拡径部３４２との間に段差部３０５が位置している。段差部３０５は、係止爪３４１及び拡径部３４２に当接して、両者に挟持されている。これにより、ローラ３はローラシャフト３２に対する位置決めがなされるとともに、ローラ３のガタツキが低減されている。
【０１１５】
図１７に示すように、ローラ３は、ローラシャフト３２に設けられたベアリング３４を介して、ローラシャフト３２にベアリング３４とともに回転可能に支持されている。そして、ローラ３は、合成樹脂よりなる芯材３０１と、芯材３０１の先端内周に嵌着された合成樹脂よりなるキャップ材３０２と、芯材３０１及びキャップ材３０２の外周に被覆成形された合成樹脂よりなる外被材３０３とから構成されている。外被材３０３の外表面には、導電金属メッキが施されてローラ電極３１が形成されており、ベアリング３４との間の導電が確保されている。芯材３０１の内側には、ベアリング３４が挿入配置される空間３０４が形成されている。そして、空間３０４の内壁面には、係止爪３４１に係合可能な段差部３０５が形成されている。空間３０４にベアリング３４が挿入配置されて、係止爪３４１が段差部３０５に係合されることにより、ローラ３がベアリング３４に対して抜け止めされている。
【０１１６】
図１６に示すように、太陽電池ユニット１１は負極接続端子１１１、正極接続端子１１２を有する。負極接続端子１１１は、導電性ビス１２とナット１３によってベース板５１に電気的及び機械的に接合されている。一方、正極接続端子１１２は、導電性を有するビス１１３によって、ハンドル上部２１１の内側壁面に取り付けられている。ハンドル上部２１１はその内面にもハンドル電極２１３を形成する金属メッキが施されている。
【０１１７】
これにより、以下の通り、通電回路が形成されることとなる。すなわち、太陽電池ユニット１１、負極接続端子１１１、導電性ビス１２、ベース板５１、ねじりばね４２１、アーム板６１、ローラシャフト３２、ベアリング３４、ローラ３のローラ電極３１、肌面、ハンドル上部２１１を把持する手、ハンドル電極２１３、正極接続端子１１２、太陽電池ユニット１１の順に電気的に接続されてなる通電回路が形成される。これにより、確実に通電回路を形成できるため、十分な通電性能を得ることができる。
【０１１８】
本例の美容器１０４の作用効果について詳述する。本例の美容器１０４は本体２の内部に旋回機構等を有しており、部品点数が比較的多くなっているため、本体２の内部構造における寸法誤差が大きくなるおそれがある。これに伴って、本体２を構成するハンドル上部２１１とハンドル下部２１２との間で位置ずれが生じるおそれがある。しかしながら、本例の美容器１０４では、ハンドル上部２１１の外縁２１６がハンドル下部２１２の外縁及びハンドルベース２１４の外縁を覆っているため、ハンドル上部２１１とハンドル下部２１２との間で位置ずれが生じても、ハンドル上部２１１とハンドル下部２１２の隙間が開きにくくなっている。その結果、本体２内部への水等の侵入を抑制するとともに、外観の見栄えが良くなる。なお、本例の美容器１０４においても、実施例１と同等の作用効果を奏する。
【０１１９】
（確認試験１）
次に、以下の確認試験１を行った。
実施例４の美容器１０４を試験例とし、実施例４の美容器１０４と同等の構成を有するがアーム部６が旋回せずに基準位置で固定されたものを比較例とした。
【０１２０】
確認試験１の試験条件は、試験例及び比較例の美容器を、被験者の頬を２秒間で１往復する速さで５分間使用し、使用直前、使用直後、使用後１分、使用後５分、使用後１０分の血流量を２次元血流計（室町機械株式会社製、型番：OMEGA ZONE OZ-2Pro）により測定した。なお、被験者には測定前に安静状態を３０分間維持して順化させた。そして、使用直前の血流量を１００％として、それぞれのタイミングの血流量の変化率を表した。被験者は２０〜３０歳代の女性６名（被験者１〜６）とし、各人の試験結果を表１及び図２０に示した。
【０１２１】
【表１】
2018102903.tif 000003
【０１２２】
表１及び図２０に示すように、試験例では、比較例と比べて同等以上に血流量を増加させることができることが示された。従って、試験例では、比較例と同等以上の血流促進効果が得られることが確認できた。
【０１２３】
（確認試験２）
次に、以下の確認試験２を行った。
試験例及び比較例は、確認試験１と同じとした。
確認試験２の試験条件は、試験例及び比較例の美容器を、被験者の顔、前腕にそれぞれ２秒間で１往復する速さで３０秒間使用し、使用中の腕橈骨筋及び浅屈筋群における筋電位を測定した。筋電位が高い程、筋肉の収縮強度が高く、筋肉への負担が大きくなる。そして、比較例における筋電位を１００％として、試験例における筋電位を比較した。被験者は２０〜３０歳代の女性２名（被験者７、８）、２０歳代の男性１名（被験者９）とし、各人の使用部位ごとの試験結果を表２及び図２１に示した。
【０１２４】
【表２】
2018102903.tif 000004
【０１２５】
表２及び図２１に示すように、いずれの被験者及び使用部位においても、試験例では、比較例と比べて筋肉の収縮量が少なくなっており、使用時における使用者の腕の負担が軽減されたことが示された。従って、試験例では、比較例に比べて楽に使用できることが確認できた。
【０１２６】
（実施例５）
本実施例の美容器１０５は、図２２〜図２９に示す構造を有する。なお、実施例１〜４の場合と同等の構成には同一の符号を付してその説明を省略する。本例においても、上述の実施例４の場合と同様に、実施例１におけるロックスイッチ７１、差込片７４等のアーム部６を旋回不能な状態にするための機構を有していない。そのため、アーム部６は常時旋回可能な状態となっている。
【０１２７】
そして、本例では、図２６に示すように、ローラ３が、回転軸Ｒを中心に回転して描く軌跡３００は、回転軸方向における両端Ｒ１、Ｒ２側から内側に向かうにつれて縮径している縮径部３１０を有している。そして、縮径部３１０は、回転軸Ｒに直交する方向からみて回転軸方向の中央位置３１１ａの径Ｄ１が最も小さい。そして、縮径部３１０における回転軸方向の両端３１２ａ、３１２ｂにおける径Ｄ２、Ｄ３はいずれもＤ１よりも大きい。
【０１２８】
また、図２６に示すように、縮径部３１０の周面３１１は、回転軸Ｒに直交する方向からみて円弧状をなしている。本例では、縮径部３１０全体が回転軸Ｒに直交する方向からみて円弧状となって滑らかに連続している。
【０１２９】
また、図２４、図２５に示すように、ローラ３の外周面には複数の凸部３７が設けられている。凸部３７は回転軸方向に沿うとともに径方向外方に突出している。そして、複数の凸部３７は周方向に並んで設けられており、複数の凸部３７の頂部３７１ａ、３７２ａの少なくとも一部が図２６に示す軌跡３００の縮径部３１０を描く。
【０１３０】
図２４に示すように、複数の凸部３７は第１凸部３７１と、第２凸部３７２とを含む。図２５に示すように、第１凸部３７１は、回転軸方向の第１端部Ｒ１から第１端部Ｒ１と反対側の第２端部Ｒ２に向かうにつれて頂部３７１ａが回転軸Ｒに近づいている。一方、第２凸部３７２は、回転軸方向の第２端部Ｒ２から第１端部Ｒ１に向かうにつれて頂部３７２ａが回転軸Ｒに近づいている。なお、第１凸部３７１及び第２凸部３７２の突出高さＨ１、Ｈ２（図２４参照）は適宜設定することができる。なお、突出高さとは、回転軸方向に垂直な断面における外周面において、最も回転軸Ｒに近い部分の位置との径方向の位置の差を指す。
【０１３１】
本例では、図２５に示すように、第１端部Ｒ１から第２端部Ｒ２に向かうにつれて突出高さＨ１が小さくなっており、第２端部Ｒ２から第１端部Ｒ１に向かうにつれて突出高さＨ２が小さくなっている。これに替えて、突出高さＨ１、Ｈ２を一定としつつ、第１端部Ｒ１から第２端部Ｒ２に向かうにつれて頂部３７１ａが回転軸Ｒに近づくように第１凸部３７１を形成し、第２端部Ｒ２から第１端部Ｒ１に向かうにつれて頂部３７２ａが回転軸Ｒに近づくように第２凸部３７２を形成してもよい。
【０１３２】
また、本例では、図２４に示すように、第１凸部３７１及び第２凸部３７２はいずれも回転軸Ｒ方向から見て、台形形状を成している。そして、台形形状の上辺に相当する第１凸部３７１及び第２凸部３７２の頂部３７１ａ、３７２ａの幅Ｗ１、Ｗ２は、回転軸方向において一定となっている。頂部３７１ａ、３７２ａの幅Ｗ１、Ｗ２の大きさは、適宜設定することができる。そして、図２７に示すように、第１凸部３７１の頂部３７１ａはわずかに回転軸Ｒ側に凹むように緩やかに湾曲している。同様に、第２凸部３７２の頂部３７２ａもわずかに回転軸Ｒ側に凹むように緩やかに湾曲している。
【０１３３】
本例では、図２４に示すように、第１凸部３７１と第２凸部３７２とが周方向に交互に配列している。また、本例では、第１凸部３７１及び第２凸部３７２はそれぞれ９個づつ設けられている。
【０１３４】
図２７、図２８に示すように、ローラ３の芯材３０１は、第１芯材３６１と第２芯材３６２とに回転軸方向に分割されてなる。第１芯材３６１は凹部からなる内空部３６１ａを有し、第２芯材３６２は貫通孔からなる内空部３６２ａを有する。第１芯材３６１と第２芯材３６２とが回転軸方向に接続されることで内空部３６１ａと内空部３６２ａとが連通している。本体２側に位置する第２芯材３６２の内側には、第１芯材３６１と接続される部分に内側に膨出してなる段差部３８が形成されている。第１芯材３６１と第２芯材３６２とが接続された状態で、両者の外表面が外被材３０３により被覆されている。そして、ローラ３は、実施例４の場合と同様に、ベアリング３４等を介してローラシャフト３２に回転可能に取り付けられている。図２９に示すように、ローラシャフト３２はアーム部６を介して本体２に取り付けられている
【０１３５】
図２２に示すように、本例においてもローラ３は２つ設けられている。各ローラ３の互いの回転軸Ｒは、本体２から離れるほど互いの距離が広がっている。そして、実施例３の場合と同様に、図２３に示すように、２つのローラ３の回転軸Ｒは共通の平面上に配置されている。
【０１３６】
本例の美容器１０５の作用効果について詳述する。
本例の美容器１０５では、ローラ３が回転軸Ｒを中心に回転して描く軌跡３００は、回転軸方向において両端側から内側に向かうにつれて縮径した縮径部３１０を有しているため、縮径部３１０を顔などの緩やかに膨らむように湾曲した肌面に沿わせやすくなる。その結果、ローラ３が肌面にフィットしやすくなるため、マッサージ効果が向上するとともに使用感が向上する。
【０１３７】
また、本例では、縮径部３１０の周面３１１は、回転軸Ｒに直交する方向からみて円弧状をなしている。これにより、縮径部３１０を顔などの緩やかに膨らむように湾曲した肌面に一層沿わせやすくなる。そのため、ローラ３が肌面に一層フィットしやすくなって、マッサージ効果及び使用感が一層向上する。
【０１３８】
また、本例では、縮径部３１０は、回転軸Ｒに直交する方向からみて回転軸方向の中央位置３１１ａの径Ｄ１が最も小さい。これにより、縮径部３１０を顔などの緩やかに膨らむように湾曲した肌面に一層沿わせやすくなる。そのため、ローラ３が肌面に一層フィットしやすくなって、マッサージ効果及び使用感が一層向上する。
【０１３９】
また、本例では、ローラ３の外周面には、回転軸方向に沿うとともに径方向外方に突出する複数の凸部３７が周方向に並んで設けられており、該複数の凸部３７の頂部３７１ａ、３７２ａの少なくとも一部が軌跡３００の縮径部３１０を描く。これにより、ローラ３を肌面に沿わせた状態で移動させて回転させることにより、ローラ３が肌面にフィットした状態で複数の凸部３７が肌面を繰り返し押圧したり若しくは叩くことができる。これにより、マッサージ効果が一層向上する。
【０１４０】
また、本例では、複数の凸部３７は、回転軸方向における第１端部Ｒ１から第２端部Ｒ２に向かうにつれて頂部３７１ａが回転軸Ｒに近づく第１凸部３７１と、第２端部Ｒ２から第１端部Ｒ１に向かうにつれて頂部３７２ａが回転軸Ｒに近づく第２凸部３７２と、を含む。これにより、ローラ３が肌面にフィットした状態を維持しつつ、回転軸方向の両側から内方に向けて肌面を押圧若しくは叩くことができ、マッサージ効果が一層向上する。
【０１４１】
また、本例では、第１凸部３７１と第２凸部３７２とが周方向に交互に配列している。これにより、第１凸部３７１による押圧若しくは叩く作用と、第２凸部３７２による押圧若しくは叩く作用とが交互に奏されるため、マッサージ効果が一層向する。
【０１４２】
また、本例では、ローラ３は２つ設けられており、互いの回転軸Ｒは、本体２から離れるほど互いの距離が広がっている。これにより、図２２に示すように、２つのローラ３を顔の顎や頬を両側から挟むように沿わせて移動させることにより、ローラ３が肌面に一層フィットした状態とすることができる。その結果、マッサージ効果が一層高まるとともに、使用者の体感が一層向上する。
【０１４３】
また、本例では、２つのローラ３の回転軸Ｒは共通の平面上に配置されている。これにより、２つのローラ３を肌面に沿わせて前後方向に移動させることにより、２つのローラ３による肌面の摘み上げを行うことができ、肌の揉みほぐし効果を奏することができる。
【０１４４】
なお、本例では、第１凸部３７１及び第２凸部３７２の頂部３７１ａ、３７２ａはわずかに回転軸Ｒ側に凹むように緩やかに湾曲していることとしたが、これに替えて、両頂部３７１ａ、３７２ａはわずかに回転軸Ｒと反対側に膨らむように緩やかに湾曲しているようにしてもよいし、両頂部３７１ａ、３７２ａは湾曲しない平面であってもよい。
【０１４５】
また、本例では、第１凸部３７１及び第２凸部３７２は回転軸Ｒ方向から見て台形形状を成していることとしたが、これに替えて、第１凸部３７１及び第２凸部３７２を回転軸Ｒ方向から見たときの形状は、三角形、半球形、扇形、長方形、正方形、又はこれらを組み合わせてなる形状などとすることができる。
【０１４６】
また、本実施例では、第１凸部３７１と第２凸部３７２との形状をともに回転軸Ｒ方向から見て台形形状としたが、互いに異なる形状としてもよい。また、第１凸部３７１及び第２凸部３７２と異なる形状を有する第３凸部を含むこととしてもよい。
【０１４７】
なお、図３０（ａ）に示す変形例１のように、縮径部３１０の外縁は、回転軸Ｒに直交する方向からみて、両端３１２ａ、３１２ｂから中央位置３１１ａに向けて直線状をなしており、両直線状部が接する位置（当該変形例では中央位置３１１ａ）において周面３１１が凹状に角張っていてもよい。また、図３０（ｂ）に示す変形例２のように、中央領域に平面状の中央部３１１ｂを有しており、縮径部３１０が中央部３１１ｂの回転軸方向の両側に分断されて形成されていてもよい。また、図３０（ｃ）に示す変形例３のように、縮径部３１０が、回転軸方向の内側に向かうにつれて縮径するとともに平面状の中央部３１１ｂに連なる段差部を有していており、回転軸Ｒに直交する方向からみて、縮径部３１０が段差部３１１ｃにおいて滑らかに連続していなくともよい。これらの変形例１〜３においても、本例と同等の作用効果を奏する。
【０１４８】
（確認試験３）
次に、以下の確認試験３を行った。試験対象は以下の通りである。
実施例５の美容器１０５を試験例とした。
図３１（ａ）に示す従来の美容器９００を比較例１とした。
実施例５の美容器１０５と同等の構成を有するがアーム部６が旋回せずに基準位置で固定されたものを比較例２とした。
実施例５の美容器１０５と同等の構成を有するがアーム部６が左右方向に旋回可能に構成されたもの比較例３とした。
【０１４９】
図３１（ａ）に示す従来の美容器９００では、ハンドル９０２の先端の分枝部９０１に２つのローラ９０３が回転可能に設けられている。分枝部９０１は旋回機構を有しておらず、ローラ９０３は旋回移動することができない。また、ローラ９０３の外周面には複数の凸部９０４が備えられているが、回転軸Ｒを中心に軸回転させた時に描かれる軌跡は図３１（ｂ）に示すように円柱状であって、回転軸方向において一定の形状を成しており、回転軸方向の内側に向かうにつれて縮径した縮径部を有していない。
【０１５０】
確認試験３の試験条件は、試験例及び比較例１〜３の美容器を、被験者の頬を２秒間で１往復する速さで５分間使用し、使用直前、使用直後、使用後１分、使用後５分、使用後１０分の血流量を２次元血流計（室町機械株式会社製、型番：OMEGA ZONE OZ-2Pro）により測定した。なお、被験者には測定前に安静状態を３０分間維持して順化させた。また、各美容器を頬に当てる強さは被験者自身が気持ちと感じる強さとした。血流量の変化量の規定は上述の確認試験１と同様とした。被験者は２６〜４０歳代の女性８名、男性１名の合計９名とし、被験者における測定値の平均値を表３及び図３２に示した。
【０１５１】
【表３】
2018102903.tif 000005
【０１５２】
表３及び図３２に示すように、試験例では、比較例１〜３と比べて同等以上に血流量を増加させることができることが示された。従って、試験例では、比較例と同等以上の血流促進効果が得られることが確認できた。
【０１５３】
（確認試験４）
次に、以下の確認試験４を行った。
試験例及び比較例１〜３、被験者は確認試験３と同じとした。
確認試験４の試験条件は確認試験３と同様にし、血流量の測定に替えて、肌弾力を皮膚粘弾性測定装置（Courage + Khazaka electronic社製  型番：Cutometer DUAL MPA580）により測定した。そして、被験者ごとに使用直前の肌弾力の値を１００％としたときの使用５分後の肌弾力の変化率を算出し、全被験者における変化率の平均値を表４及び図３３に示した。
【０１５４】
【表４】
2018102903.tif 000006
【０１５５】
表４及び図３３に示すように、試験例では、比較例１〜３と比べて肌弾力の変化率が高くなった。これにより、試験例の美容器によれば、比較例１〜３の美容器に比べて、マッサージ効果が向上し、肌弾力が高い状態に維持できることが確認できた。
【符号の説明】
【０１５６】
１、１０２、１０３、１０４、１０５  美容器
２  本体
２１  ハンドル部
３  ローラ
３００  軌跡
４１  旋回機構
４２  付勢機構
６  アーム部
【図１】
2018102903.tif 000007
【図２】
2018102903.tif 000008
【図３】
2018102903.tif 000009
【図４】
2018102903.tif 000010
【図５】
2018102903.tif 000011
【図６】
2018102903.tif 000012
【図７】
2018102903.tif 000013
【図８】
2018102903.tif 000014
【図９】
2018102903.tif 000015
【図１０】
2018102903.tif 000016
【図１１】
2018102903.tif 000017
【図１２】
2018102903.tif 000018
【図１３】
2018102903.tif 000019
【図１４】
2018102903.tif 000020
【図１５】
2018102903.tif 000021
【図１６】
2018102903.tif 000022
【図１７】
2018102903.tif 000023
【図１８】
2018102903.tif 000024
【図１９】
2018102903.tif 000025
【図２０】
2018102903.tif 000026
【図２１】
2018102903.tif 000027
【図２２】
2018102903.tif 000028
【図２３】
2018102903.tif 000029
【図２４】
2018102903.tif 000030
【図２５】
2018102903.tif 000031
【図２６】
2018102903.tif 000032
【図２７】
2018102903.tif 000033
【図２８】
2018102903.tif 000034
【図２９】
2018102903.tif 000035
【図３０】
2018102903.tif 000036
【図３１】
2018102903.tif 000037
【図３２】
2018102903.tif 000038
【図３３】
2018102903.tif 000039